(57)【特許請求の範囲】
【請求項１】
多数のパイプを順次接続して深層水取水管を形成し、これを深層水取水船から水中に懸架して設置する方法であって、該パイプの接続を深層水取水船の上で略水平方向に行い、該パイプの接続によって伸ばされた深層水取水管の延長分を、逐次深層水取水船の外に押し出して水面近くに滞留させ、該深層水取水管が所定の長さに達した後、該深層水取水管の取水ポンプ側端部を深層水取水船の取水管取り付け部に係止しながら、この取水管取り付け部を軸にし、回収ワイヤーが繋がれた先端部を先頭にして、振り子のように回転させて深層水取水管を水中に沈め、該深層水取水管を深層水取水船から略垂直に吊り下げることを特徴とする、深層水取水管の設置方法。
【請求項２】
多数のパイプを順次接続して深層水取水管を形成し、これを深層水取水船から水中に懸架して設置する方法であって、該パイプの接続を作業船上で略水平方向に行い、該パイプの接続によって伸ばされた深層水取水管の延長分を、その取水ポンプ側端部を先にして、逐次作業船外に押し出して水面近くに滞留させ、該深層水取水管が所定の長さに達した後、該深層水取水管の取水ポンプ側端部を深層水取水船の取水管取り付け部に係止しながら、この取水管取り付け部を軸にし、回収ワイヤーが繋がれた先端部を先頭にして、振り子のように回転させて深層水取水管を水中に沈め、該深層水取水管を深層水取水船から略垂直に吊り下げることを特徴とする、深層水取水管の設置方法。
【請求項３】
前記深層水取水管の延長分の水面近くでの滞留が、該延長分の自由な端部を浮き船に係止することで行われることを特徴とする請求項１又は請求項２に記載の深層水取水管の設置方法。
【請求項４】
前記深層水取水管の延長分の水面近くでの滞留が、深層水取水管内を空にして行われることを特徴とする請求項１乃至請求項３のいずれかに記載の深層水取水管の設置方法。
【請求項５】
前記深層水取水管の先端部に、遠隔操作で取り外し自在とされた錘が備えられたことを特徴とする、請求項１乃至請求項４のいずれかに記載の深層水取水管の設置方法。
【発明の詳細な説明】
【０００１】
【発明の属する技術分野】
本発明は、深層水の取水を容易に行うための、深層水取水管の設置方法及び深層水取水船に関する。
【０００２】
【発明が解決しようとする課題】
海洋の２００ｍ以深にある、いわゆる深層水と呼ばれる海水は、ミネラルなどを豊富に含んでいる。このため、食品分野や医学分野、及び種々の産業分野での利用が近年盛んに研究されるようになった。そして、その取水方法もいろいろ検討されているが、波や潮流などの激しい環境下で、しかも、２００ｍ以上の深所からの取水であるため、設備が過大になったり操業性が悪かったりして採算性に問題があり、広い分野での利用が難しい状況にある。
【０００３】
その中でも、今日、いくつかの取水方法が散見されるが、陸地からの定点取水や、ブイ型の浮船を利用した定点取水など、いずれも定点取水を余儀なくされ、大型の設備が必要とされている。
【０００４】
一方、移動が容易な船上からの取水も検討されている。従来、海底へ物を送り込むには吊り下げ方式が定着していたが、深層水の取水管を吊り下げ方式で設置するには、次ぎのような問題がある。まず、所定長さの取水管を取水位置まで運んで取水船から吊り下げる場合であるが、深層水の取水管は少なくとも２００ｍの長さが必要とされるので、非常に大きな船と大型のクレーン設備が必要となり実用的ではない。したがって、所定長さの取水管を運んで来るのではなく、取水場所で、比較的短いパイプを船上で順次繋ぎながら海中に投入していき、最終的に所定の長さの取水管を形成させる方法がより有望と判断される。
【０００５】
しかしながら、順次繋ぎながら海中に投入する場合でも、従来の吊り下げ方式では大変面倒であった。すなわち、パイプを垂直に吊り上げて位置決めし、その一端を形成中の取水管に接続し、取水管をパイプの長さ分だけ水中に送り込む作業を、１本ずつ、順次数十回繰り返さなければならないため、非常に能率が悪かった。その上、パイプを垂直に吊り上げて正確に位置決めしたり、吊り下げながらパイプの長さ分だけ正確に水中に送り込むには大型で高価な設備が必要という問題があった。
【０００６】
そこで本発明者等は、上述の従来技術の問題点に鑑み、大型の高価な設備を必要とせずに、短時間で効率良く深層水取水管を設置する方法、及び、この設置方法を実施するのに便利な深層水取水船について鋭意検討を重ねた結果、本発明に至ったのである。
【０００７】
【課題を解決するための手段】
本発明に係わる深層水取水管の設置方法の要旨とするところは、多数のパイプを順次接続して深層水取水管を形成し、これを深層水取水船から水中に懸架して設置する方法であって、パイプの接続を深層水取水船の上で略水平方向に行い、パイプの接続によって伸ばされた深層水取水管の延長分を、逐次深層水取水船の外に押し出して水面近くに滞留させ、深層水取水管が所定の長さに達した後、深層水取水管の取水ポンプ側端部を深層水取水船の取水管取り付け部に係止しながら、この取水管取り付け部を軸にし、回収ワイヤーが繋がれた先端部を先頭にして、振り子のように回転させて深層水取水管を水中に沈め、深層水取水管を深層水取水船から略垂直に吊り下げることにある。
【０００８】
また、本発明に係わる深層水取水管の設置方法の別の要旨とするところは、多数のパイプを順次接続して深層水取水管を形成し、これを深層水取水船から水中に懸架して設置する方法であって、パイプの接続を作業船の上で略水平方向に行い、パイプの接続によって伸ばされた深層水取水管の延長分を、その取水ポンプ側端部を先にして、逐次作業船の外に押し出して水面近くに滞留させ、深層水取水管が所定の長さに達した後、深層水取水管の取水ポンプ側端部を深層水取水船の取水管取り付け部に係止しながら、この取水管取り付け部を軸にし、回収ワイヤーが繋がれた先端部を先頭にして、振り子のように回転させて深層水取水管を水中に沈め、深層水取水管を深層水取水船から略垂直に吊り下げることにある。
パイプの接続が深層水取水船上で行われることにある。
【０００９】
さらにまた、これら深層水取水管の設置方法において、深層水取水管の延長分の水面近くでの滞留が、この延長分の自由な端部を浮き船に係止することで行われることにある。
【００１０】
さらにまた、これら深層水取水管の設置方法において、深層水取水管の延長分の水面近くでの滞留が、深層水取水管内を空にして行われることにある。
【００１１】
さらにまた、これら深層水取水管の設置方法において、深層水取水管の先端部に、遠隔操作で取り外し自在とされた錘が備えられたことにある。
【００１２】
また、本発明に係わる深層水取水船の要旨とするところは、貯水槽と取水ポンプと、深層水取水管の取水ポンプ側端部を係止するための取水管取り付け部とを備え、取水管取り付け部でのこの係止が、垂直方向に回転自在とされたことにある。
【００１３】
さらに、かかる深層水取水船が双胴船であって、両胴部間を跨ぐ位置に取水管取り付け部が設けられたことにある。
【００１４】
【発明の実施の形態】
次に、本発明に係わる深層水取水管の設置方法及び深層水取水船の実施態様について、図面に基づいて詳しく説明する。
【００１５】
図1は、本発明に係わる深層水取水管の設置方法の一例を模式的に示す説明図である。本例では、深層水取水船１０と浮き船１６の２艘の船が使用されており、深層水取水船１０上では、ストック場所２２に貯えられたパイプを接続作業場所２０で順次略水平方向に繋いで深層水取水管１２を延長する作業が行われる。そして、パイプが接続されて延長された分だけ、深層水取水管１２の一部を逐次船外に押し出している。一方、浮き船１６は、この押し出された深層水取水管１２の自由な端部を係止して水中に沈降するのを防いでいる。このため、深層水取水管１２は両端を深層水取水船１０と浮き船１６とで係止され、深層水取水管１２は水中に沈まないで水面近くに滞留させられる。
【００１６】
深層水取水管１２が長くなるにつれ、浮き船１６は深層水取水管１２の先端とともに深層水取水船１０から次第に離れて行き、深層水取水管１２が所定の長さになった時に停止する。そして、深層水取水管１２の取水ポンプ側端部３２を深層水取水船１０の取水管取り付け部１８に係止し、浮き船１６上にある深層水取水管１２の先端部３４に、錘３０と回収ワイヤー２８を繋いで水中に投入する。深層水取水管１２は、取水管取り付け部１８を軸にし、先端部３４を先頭にして、振り子のように弧を描いて水中に沈降していく。やがて先端部３４は取水管取り付け部１８の真下に達し、深層水取水管１２は垂直になって深層水取水船１０から吊り下げられる。先端部３４に錘３０が装着されているので、波や潮流を受けてもあまり揺れ動くことはない。
【００１７】
回収ワイヤー２８は、用済み後の深層水取水管１２を引き上げて回収するためのものである。したがって、その一端は浮き船１６上に残されていなければならない。回収ワイヤー２８は、先端部３４の沈降に伴って水中に引き込まれていくので、深層水取水管１２が沈んでいく速度に合わせて浮き船１６から繰り出される。逆に、回収ワイヤー２８の繰り出し速度を調節することによって深層水取水管１２の沈降速度をコントロールすることもできる。回収ワイヤー２８の繰り出し時に、浮き船１６は回収ワイヤー２８に引っ張られ、深層水取水船１０に引き寄せられる力を受ける。
【００１８】
上述の説明では、深層水取水管１２が長く繋がれていくにつれ、浮き船１６が移動して深層水取水船１０から離れていくとした。しかしながら、浮き船１６は停止したままで、深層水取水船１０が深層水取水管１２の押し出し方向と逆方向に後退して移動してもよい。深層水取水管１２を船外に押し出す作業と連動できるので移動速度が調整しやすくなる。
【００１９】
深層水取水船10には、取水ポンプ２４と貯水槽２６が備えられている。深層水取水管１２を深層水取水船１０から吊り下げる設置作業が終り、深層水取水管１２の取水ポンプ側端部３２に取水ポンプ２４を連結すれば、直ちに取水作業を開始できる態勢になる。
【００２０】
取水ポンプ２４を稼動して取水を始め、貯水槽２６を満杯にして取水を停止する。この間、浮き船１６は設置作業を行った位置に停留したままでもよいし、回収ワイヤー２８をいったん深層水取水船１０に預け、別場所で自由に行動してもよい。
【００２１】
取水作業終了後の深層水取水管１２の回収作業は、上述した設置作業の逆手順で行われる。すなわち、まず後方端部３２と取水ポンプ２４への配管との連結を外す。次ぎに、回収ワイヤー２８を浮き船１６で巻き上げたり、浮き船１６を深層水取水船１０から離れる方向に移動したりして、回収ワイヤー２８を介し、深層水取水管１２の先端部３４を斜め上方に引く。すると、深層水取水管１２は、取水管取り付け部１８を軸にして回転し、やがて水面近くに横になって引き上げられる。そして、この深層水取水管１２を深層水取水船１０上に引き込みながら、順次パイプを取り外してストック場所２２に格納する。最終的に、回収ワイヤー２８や錘３０は勿論、浮き船１６自体も深層水取水船１０に収容されることがある。
【００２２】
なお、図中では省略されているが、深層水取水船１０には、パイプの接続作業に用いる各種のリフトや搬送機、深層水取水管１２を船外に押し出したり回収したりするのに用いるクレーンなどが備えられ、錘３０を回収するためのウインチが備えられることもある。また、浮き船１６には、深層水取水管１２の先端部３４の係止具、錘３０を先端部３４に装着する装置、回収ワイヤー２８用のウインチなどが備えられている。
【００２３】
図２に示されるように、パイプ１４の両端にはフランジ３８が設けられ、パイプ１４の接続は、パッキン３６を挟んでフランジ３８どうしを合わせ、ボルトとナットなどを用いて接合することで行われる。パッキン３６にはゴムなどの弾性体が用いられ、水密に接合する役目とともに、作業中又は使用中に深層水取水管１２に掛かる曲げ応力に耐えるためのクッション材の役目を果たしている。
【００２４】
取水管取り付け部１８は、深層水取水管１２の取水ポンプ側端部３２を、垂直方向に自由に回転できるようにして係止している。このため、水面近くに水平に滞留していた深層水取水管１２が、取水管取り付け部１８を軸にして弧を描いて水中に沈み、深層水取水船１０から垂直に吊り下げられることが可能になる。
【００２５】
図３は取水管取り付け部１８の一例を示し、Ｕ字形の軸受け部４２が設けられている。深層水取水管１２の取水ポンプ側端部３２の両側に張り出して設けられた棒状突起４０を軸受け部４２で受ければ、取水ポンプ側端部３２は垂直面に沿って自由に回転できる。取水ポンプ側端部３２はＬ形とされ、開口部４４には、取水ポンプ２４への配管と連結されるためのフランジ３９が設けられている。深層水取水管１２が水平にある時はフランジ３９は下方を向き、深層水取水管１２が９０°回転して垂直になると、フランジ３９は水平方向を向いて、取水ポンプ２４への配管との連結が容易になる。
【００２６】
図１に例示される実施態様では、パイプ１４の接続は深層水取水船１０上で行なわれる。陸地から遠く離れた場所で行われる深層水の採取では、運送コストの低減が重要であり、大きな貯水槽２６を備えた大型の深層水取水船１０が有利である。このため、パイプ１４の接続作業を深層水取水船１０上で行えば、かなり広い作業スペースを確保できるというメリットがある。
【００２７】
しかしながら本発明は、パイプ１４の接続を深層水取水船１０上で行うことに限定されない。図４に示される深層水取水管１２の設置方法の例では、パイプ１４のストック場所２２と接続作業場所２０とは作業船１７に設けられていて作業船１７でパイプ１４を接続し、船外へ逐次押し出している。そして、深層水取水管１２の取水ポンプ側端部３２を取水管取り付け部１８に係止した深層水取水船１０が、押し出された深層水取水管１２を引いて移動する。深層水取水管１２が所定の長さまで延長された後の設置作業は、図１に示される例と同じ手順で行われる。本例の設置方法では、作業船１７を深層水取水船１０より大きくして、捕鯨における母船的な役割を担わせることもできる。
【００２８】
パイプ１４の材質は特に限定されない。強度や腐食性は耐久性に関係して非常に重要であるが、実用上特に考慮されなければならないは重量である。本発明の特徴の一つは、深層水取水管１２が所定の長さになるまで水面近くに滞留させられることにある。したがって、深層水取水管１２が重過ぎれば、水面近くに滞留させるのが非常に難しくなるし、深層水取水管１２を回収するための引き上げ作業が難しくなる。一方，軽過ぎれば、深層水取水管１２を迅速に沈降させられなくなるし、潮流などの影響を受けやすくなって不安定になるので好ましくない。
【００２９】
このため、深層水取水管１２の平均的な見掛けの比重は１から３くらいが好ましく、特に好ましくは１から１．５くらいとされる。平均的という意味は、必ずしも、パイプ１４の１本毎の見掛けの比重に限定されるのではなく、材質や構成の異なる数本のパイプ１４が連なるユニットを想定し、このユニット毎の見掛けの比重で評価されることを指している。
【００３０】
上記の好ましい範囲の比重を満足するには、例えば、塩化ビニルなどのプラスチックや、アルミニウムなどの軽い金属が単一で用いられる。また、鉄やアルミニウムなどの金属と、ポリエチレンなどの軽量プラスチック、発泡プラスチック、木材などとを複合して用いられる。あるいは、プラスチックや金属を中空二重管に成形して用いてもよい。
【００３１】
深層水取水管１２を水面近くに滞留させるための優れた工夫は、深層水取水管１２内を空にして浮力を利用することである。深層水取水管１２の先端部３４を浮き船１６上に引き上げて係止すれば、深層水取水管１２内に海水などが進入することがないので十分な浮力が得られる。このため、多少重い深層水取水管１２であっても水面近くに容易に滞留させることができるようになる。そして、先端部３４を水中に入れれば、深層水取水管１２内に海水などが進入して浮力を減じ、錘３０を装着しないでも自重だけで十分な速さで沈降するようになる。
【００３２】
深層水取水管１２の先端部３４を浮き船１６上に係止しなくても、先端部３４の開口部を蓋などで塞ぐことにより海水などの進入を防ぐことができる。図５に示される例では、先端部３４のフランジ３８に、パッキン３６を介して蓋４６を装着し開口部を水密に塞いでいる。
【００３３】
このように、深層水取水管１２自身の浮力で水面上に浮くことができれば、その先端部３４を浮き船１６に係止することは、必ずしも必要とされない。先端部３４を蓋４６で閉じた状態にして、パイプ１４を順次接続しながら深層水取水船１０から押し出していき、深層水取水管１２が所定の長さとなって水中に沈降させる時には、蓋４６を開いて海水などを深層水取水管１２内に進入させればよい。蓋４６を開く操作は、深層水取水船１０から遠隔操作で行うこともできるし、浮き船１６を近づけて手作業で行うこともできる。深層水取水管１２自身の浮力だけで不充分な場合には、空気袋などの浮きを補助的に用いてもよい。
【００３４】
深層水取水船10から吊り下げられる深層水取水管１２の重心が低いほど、波や潮流による揺れが少なくなり、取水位置の変動が抑えられる。このため、錘３０を先端部３４に装着したり、深層水取水管１２の下部を構成するパイプ１４を特に重くしたりすることが好ましい。そして、さらに好ましくは、深層水取水管１２を容易に回収できるように、回収する前に、深層水取水管１２から錘３０を外すことである。機械的な操作で行うこともできるが、２００ｍ以上深い位置にある錘３０に対しては電気的な操作で外すのが好ましい。具体的には、電磁石や小型モーターを錘３０の近辺に配し、これらの作動で離脱させる機構を採用することである。外された錘３０は、深層水取水管１２を引き上げるための回収ワイヤー２８とは別のワイヤーで、ウインチなどを用いて回収される。
【００３５】
深層水取水管１２は、設置作業や回収作業をしている時、あるいは取水中に種々の大きな変形応力を受ける。したがって、パイプ１４が破損したりパイプ１４間が外れたりする万一の事故に備え、パイプ１４の各々を繋ぎ脱落を防ぐ保持ワイヤーを設けることがある。図６は、保持ワイヤーを用いる時のパイプ１４の一例を示している。すなわち、フランジ３８のボルト孔４８の一つにピン５４が挿入され、このピン５４を軸にして自由に回転する、一対の保持ワイヤー支持金具５０が設けられている。また、保持ワイヤー支持金具５０のそれぞれには、保持ワイヤーを嵌めこむための窪み５２が対向して設けられている。したがって、保持ワイヤーを、これらの保持ワイヤー支持金具５０で挟んで閉じ、保持ワイヤー支持金具５０の各先端部に設けられた止め孔５６を重ね、ボルトを通してナットで締め付ければ、保持ワイヤーはパイプ１４に確実に繋がれる。パイプ１４を順次接続して所定長さの深層水取水管１２を形成していく過程で、保持ワイヤーも逐次パイプ１４に繋いでいけば、最終的に、構成する全てのパイプ１４が１本の保持ワイヤーで繋がれる。
【００３６】
また、取水中の深層水取水船１０が、前後左右あるいは上下に揺れることによって、深層水取水管１２が破損しないようにする工夫も大切である。例えば、深層水取水管１２や取水配管６８の一部を、ゴムにしたり蛇腹にしたりして柔軟にするのが有効である。あるいは、深層水取水管１２と取水配管６８との連結を外して、両者がそれぞれ自由に動けるようにされればさらに有効である。
【００３７】
図７と図８はその一例を示し、深層水取水管１２の取水ポンプ側端部３２を広口にして、その中に取水配管６８がルーズに挿入されている。そして、取水ポンプ側端部３２は円環状の上部材３２１と、漏斗状の下部材３２２とからなり、上部材３２１に設けられた前後の孔４５に、下部材３２２の前後の側面に設けられた棒状突起４１が挿通されることで、両者が連結されている。したがって、下部材３２２は棒状突起４１を軸にして左右に自由に回転できる。また、上部材３２１の左右にも棒状突起４０が設けられていて、取水管取り付け部１８（図中省略）のU形軸受け部４２（図中省略）で受けられることにより、棒状突起４０を軸にして、前後に自由に回転できるようにされている。
【００３８】
本例の深層水取水管１２接続方法によれば、深層水取水船１０の左右の揺れを棒状突起４１を軸にした回転で、また、前後の揺れを棒状突起４０を軸にした回転で吸収し、上下の揺れは、軸受け部４２のU形に開放されたスペースで吸収できる。したがって、深層水取水船１０の揺れが深層水取水管１２に直接伝達されることはほとんどなくなり、深層水取水管１２が変形したり破損したりしなくなる。
【００３９】
本発明に係わる深層水取水管の設置方法では、既存の船舶を改造したり、必要な設備を補充したりして、深層水取水船１０として利用できる。しかしながら、本発明が実施されやすいような深層水取水船１０が特別に建造されれば、貯水能力を高めたり、パイプ１４のストック場所２２や接続作業場所２０を広めたりして、さらに効率の良い深層水取水が可能になる。深層水取水船１０には、貯水槽２６と取水ポンプ２４と、さらに、深層水取水管１２の取水ポンプ側端部３２を垂直方向に回転自在に係止する、取水管取り付け部１８とが、予め備えられなければならない。
【００４０】
図９~図１１は、本発明の深層水取水船に関し、特に有用な双胴船の一例を示すものであり、深層水取水管の設置が終わって取水作業中の状態である。深層水取水船１１は、２つの胴部５８を、その前部で上甲板６４と船底甲板６６で連結し、その後部を櫓６０で連結された構造とされている。櫓６０は、深層水取水管１２の設置や回収に用いるリフトを吊るしたり、種々の監視作業を行うための足場としても利用される。胴部５８の各々には貯水槽２６が設けられ、両胴部５８間を跨ぐ位置に取水管取り付け部１８と取水ポンプ２４とが設けられている。そして、取水管取り付け部１８に係止された深層水取水管１２の取水ポンプ側端部３２と取水ポンプ２４とは、取水配管６８でつながれ、深層水取水管１２を経て採取された深層水は、取水ポンプ２４から貯水槽２６に運ばれている。
【００４１】
両胴部５８間に、胴部５８の側部を張り出して形成された取水管取り付け部１８には、Ｕ字形に窪んだ軸受け部４２が左右両側に設けられいる。この軸受け部４２が、深層水取水船１０の取水ポンプ側端部３２に設けられた棒状突起４０を受けることだけで、深層水取水管１２全体が支えられている。したがって、取水ポンプ側端部３２と取水配管６８とがつながれる前の、深層水取水管１２を設置する段階では、棒状突起４０を軸にして、深層水取水管１２は振り子のように自由に回転できる。
【００４２】
本深層水取水船１０によれば、取水管取り付け部１８が両胴部５８間に設けられているので、取水管取り付け部１８の両側に広い作業スペースが確保でき、深層水取水管１２の設置や回収に伴なう作業を、迅速かつ安全に行える。また、取水管取り付け部１８を水面近くの低い位置に設けることができるので、水面近くに滞留してる時の深層水取水管１２との高低差が小さくなり、深層水取水管１２の曲がりがほとんど生じなくなる。
【００４３】
以上、本発明に係わる深層水取水管の設置方法及び深層水取水船について詳細に説明してきたが、本発明は上述の引用・例示に限定されず、パイプの材質や形状や接続方法、深層水取水管を水面近くに滞留させる手段、深層水取水管の沈降や浮上や吊り下げ状態をコントロールする手段、深層水取水船の構造などにつき、本発明の趣旨を逸脱しない範囲で種々なる改良，修正，変化を加えた態様で実施し得るものである。
【００４４】
【発明の効果】
本発明に係わる深層水取水管の設置方法によれば、船上でパイプを接続して長い深層水取水管を形成するので、取水現場への深層水取水管の搬送費用が大幅に低減される。また、パイプの接続を略水平方向に行うので作業が容易になり、作業能率が格段に向上するとともに、リフトや搬送機などが小型化して設備コストが軽減される。また、水面近くに滞留させた深層水取水管を、振り子のように振って一気に沈めるので、非常に短時間で深層水取水管を設置できる。
【００４５】
また、本発明に係わる深層水取水管の設置方法によれば、深層水取水管が深層水取水船から吊り下げられるので、自由に取水場所を移動できる。このため、照明装置やカメラなどを深層水取水管の先端部に装着したりして、取水場所の情報を確認しながら、常に最適地を選択して取水することが可能になる。
【００４６】
そして特に、パイプの接続を深層水取水船上で行うことにより、接続作業用の広いスペースを確保して、安全かつ迅速に接続できるようになる。
【００４７】
また特に、水面近くに滞留する時の深層水取水管の一端を船に係止することにより、水面近くにより確実に滞留させられるようになるし、深層水取水管が延長される速さに合わせて、その一端を引いて移動できるようになる。
【００４８】
そしてさらに、水面近くに滞留する時の深層水取水管の中を空にすることにより、浮力を生じさせて、水面近くにより確実に滞留させられるようになる。
【００４９】
さらに、深層水取水管の先端部に、遠隔操作で取り外せる錘を装着することにより、取水中は深層水取水管の揺れ動きを抑制し、回収する時には錘を外して軽くすることができるようになる。
【００５０】
また、本発明に係わる深層水取水船によれば、垂直方向に回転自在に、深層水取水管の取水ポンプ側端部を係止できる取水管取り付け部を備えているので、水面近くに滞留する深層水取水管を、振り子のように回転させて一気に沈めることができるようになる。
【００５１】
そして特に、双胴船であって、両胴部間を跨ぐ位置に取水管取り付け部が設けられた深層水取水船とされれば、取水管取り付け部の両側に広い作業スペースを確保することができ、深層水取水管の設置や回収の作業が容易になる。また、取水管取り付け部を水面近くに低く設け、水面近くに滞留してる時の深層水取水管との高低差を小さくして、深層水取水管に曲がりが生じないようにできる。
【図面の簡単な説明】
【図１】本発明に係わる深層水取水管の設置方法の一例を示す模式図である。
【図２】本発明に係わり、パイプの接続方法の一例を示す側面図である。
【図３】本発明に係わり、取水管取り付け部の一例を模式的に示す側面図である。
【図４】本発明に係わる深層水取水管の設置方法の他の一例を示す模式図である。
【図５】本発明に係わり、深層水取水管の閉じられた先端部分の一例を示す側面図である。
【図６】本発明に係わり、パイプのフランジ部の一例を示し、パイプを輪切りしてそのの切断面から見た断面図である。
【図７】本発明に係わり、深層水取水管と取水配管とのつなぎかたの一例を示す縦側面図である。
【図８】本発明に係わり、図７で示される深層水取水管の一部を示す斜視図である。
【図９】本発明に係わる深層水取水船の一例を示す平面図である。
【図１０】本発明に係わり、図７に示す深層水取水船の正面図である。
【図１１】本発明に係わり、図７に示す深層水取水船の側面図である。
【符号の説明】
１０、１１：深層水取水船
１２：深層水取水管
１４：パイプ
１６：浮き船
１７：作業船
１８：取水管取り付け部
２０：接続作業場所
２２：ストック場所
２４：取水ポンプ
２６：貯水槽
２８：回収ワイヤー
３０：錘
３２：取水ポンプ側端部
３４：先端部
３６：パッキン
３８、３９：フランジ
４０、４１：棒状突起
４２：軸受け部
４４：開口部
４５：孔
４６：蓋
４８：ボルト孔
５０：保持ワイヤー支持金具
５２：窪み
５４：ピン
５６：止め孔
５８：胴部
６０：櫓
６２：舵
６４：上甲板
６６：船底甲板
６８：取水配管
【図１】
0004629865.tif 000002
【図２】
0004629865.tif 000003
【図３】
0004629865.tif 000004
【図４】
0004629865.tif 000005
【図５】
0004629865.tif 000006
【図６】
0004629865.tif 000007
【図７】
0004629865.tif 000008
【図８】
0004629865.tif 000009
【図９】
0004629865.tif 000010
【図１０】
0004629865.tif 000011
【図１１】
0004629865.tif 000012